(57)【特許請求の範囲】
【請求項１】
主軸を共有するモータ部とポンプ部が仕切板を介して隣接して一体に設けられ、前記主軸のポンプ部側端部に羽根止めナットを介して羽根車が取り付けられた直動形ポンプにおいて、
前記主軸の前記ポンプ部側の部分に、互いに平行な２つの平坦部を有する回り止め部を設けるとともに、これに対応する前記モータ部のケーシングに工具挿入用の開口部を設けたことを特徴とする直動形ポンプ。
【請求項２】
前記モータ部のモータ本体より前記ポンプ部側に軸受が設けられ、前記回り止め部は前記軸受よりポンプ部側に配置されていることを特徴とする請求項１に記載の直動形ポンプ。
【発明の詳細な説明】
【０００１】
【発明の属する技術分野】
本発明は、モータ部とポンプ部とを一体化した直動形ポンプに係り、特にポンプ部の羽根車の着脱をより容易かつ確実に行えるようにした直動形ポンプに関する。
【０００２】
【従来の技術】
従来の一般的な直動形２段ポンプを図３及び図４に示す。これは、主軸１０を駆動するモータ部１２と該主軸１０の回転によって揚水を行うポンプ部１４とが一体に結合されて構成され、ポンプ部１４の圧力水がモータ部１２側へ漏洩しないように、主軸１０の周囲にメカニカルシール１６を設けたものである。主軸１０は、軸受１８を介して回転自在に支承されている。
【０００３】
モータ部１２は、モータケーシング２０で包囲され、一方、ポンプ部１４は、吐出口２２と吸込口２４を有するポンプケーシング２８で覆われ、内部に２段のポンプ室２６ａ，２６ｂが形成されている。モータケーシング２０とポンプケーシング２８にはそれぞれ周縁部にフランジが形成され、この間にモータ部空間とポンプ部空間を仕切る仕切板３０を挟んでボルトにより固定されている。
【０００４】
ポンプ部の各ポンプ室２６ａ，２６ｂの内部には、２個の羽根車３２ａ，３２ｂがそれぞれ羽根止めナット３４を介して主軸１０に一体に取り付けられている。各羽根車３２ａ，３２ｂの周囲には、流体のエネルギーを効率良く回収するためのディフューザ流路を形成するディフューザ部材３６ａ，３６ｂが設けられている。この各ディフューザ部材３６ａ，３６ｂは、側壁を有する円板状部材であり、ポンプケーシング２８の内部をポンプ室２６ａ，２６ｂに区画する中間ケーシング３８ａ，３８ｂと仕切板３０で軸方向両側から狭持されて固定されている。
【０００５】
このような構成のポンプにおいては、主軸１０が回転すると、吸込口２４から流入した流体は各段の羽根車３２ａ，３２ｂにより加速され、この運動エネルギーはディフューザ部材３６ａ，３６ｂにおいて圧力として回収されて、ポンプケーシング２８の吐出口２２から順次吐出される。
【０００６】
このポンプにおいて、羽根車３２ａを着脱するためには、羽根止めナット３４の取り付け、取り外しを行う必要がある。このため、主軸１０のモータ部１２側の端面は外部に露出されており、ここに図４に示すように、マイナス溝１０ａが設けられている。そして、このマイナス溝１０ａ内にマイナスドライバの先端を差し込んで主軸１０の回転を拘束した状態で、スパナにより羽根止めナット３４を回転させることで、羽根止めナット３４の取り付け、取り外しを行うようにしていた。
【０００７】
【発明が解決しようとする課題】
しかしながら、上記従来例にあっては、主軸１０とドライバの結合がマイナス溝１０ａとマイナスドライバの先端の嵌合で成り立っているので、羽根止めナット３４を回転させるためのトルクを支えきることができず、ドライバが外れてしまうことがあった。
【０００８】
本発明は上記に鑑み、安定かつ容易に主軸の回転を拘束し、羽根車の着脱を簡便かつ確実に行うことができるようにした直動形ポンプを提供することを目的とする。
【０００９】
【課題を解決するための手段】
請求項１に記載の発明は、主軸を共有するモータ部とポンプ部が仕切板を介して隣接して一体に設けられ、前記主軸のポンプ部側端部に羽根止めナットを介して羽根車が取り付けられた直動形ポンプにおいて、前記主軸の前記ポンプ部側の部分に、互いに平行な２つの平坦部を有する回り止め部を設けるとともに、これに対応する前記モータ部のケーシングに工具挿入用の開口部を設けたことを特徴とする直動形ポンプである。
【００１０】
これにより、モータ部のケーシングに設けた開口部からスパナ等の工具をモータケーシング内に挿入し、主軸に設けた回り止め部に、例えば、スパナやレンチのような身近な工具を係合させて主軸を拘束し、この状態で他の工具を用いて羽根止めナットを回転させることにより、小さい力で強固に主軸を拘束して、安定な作業を行なうことができる。
【００１１】
請求項２に記載の発明は、前記モータ部のモータ本体より前記ポンプ部側に軸受が設けられ、前記回り止め部は前記軸受よりポンプ部側に配置されていることを特徴とする請求項１に記載の直動形ポンプである。この位置は、ポンプ部側に近い位置であり、１人で作業する場合の作業性が良く、しかも、軸受の近傍であるので軸振れが少なく、回り止めが安定して行える。
【００１３】
【発明の実施の形態】
以下、本発明の実施の形態のモータ一体型の２段ポンプを、図１及び図２を参照して説明する。なお、このポンプは、図３に示す従来例と基本的な構成は同じであるので、同一部材には同一符号を付して説明を略し、以下、異なる点を説明する。
【００１４】
主軸１０は、モータケーシング２０内に配置された軸受１８で回転自在に支承され、仕切板３０のポンプ部１４側に設けられたメカニカルシール１６によって液封されている。主軸１０には、スパナ等の工具により回り止めを行なうための回り止め部がポンプ部側のメカニカルシール１６と軸受１８との間設けられている。すなわち、主軸１０の外周部に、互いに平行な一対の面取り部（回り止め部）１０ｂ，１０ｂが設けられている。また、モータケーシング２０には、この面取り部１０ｂ，１０ｂに対応する位置に、工具を挿入するための開口部２０ａが設けられている。
【００１５】
面取り部１０ｂ，１０ｂ間の間隔Ｗは、主軸１０の回り止めのために使用されるスパナ等の工具の開口部の幅と等しく設定される。また、モータケーシング２０の開口部２０ａは、このスパナを挿通できる大きさに設定される。
【００１６】
このような構成のポンプにおいて、羽根車３２ａの着脱を行なう場合には、モータケーシング２０に設けた開口部２０ａからスパナをモータケーシング２０内に挿入し、主軸１０に設けた面取り部１０ｂ，１０ｂに該スパナを係合させて主軸１０の回転を拘束する。この状態で、他のスパナ等を用いて羽根止めナット３４を回転させる。
【００１７】
このように、主軸１０の回り止めにスパナを用いると、スパナのハンドルの端部を保持することにより、羽根止めナット３４を回転駆動する時に主軸１０に掛かる回転トルクに小さな力で対抗することができる。しかも、開口部２０ａがモータ部１２とポンプ部１４の境界近傍に設けられているので、一方の手で主軸１０の回転を拘束し、他方の手で羽根止めナット３４を回転させることにより、１人で容易に作業を行なうことができる。
【００１８】
なお、この実施の形態にあっては、回り止め部１０ｂ，１０ｂをモータ部１２のポンプ部１４側に設けたが、これに限らず、スパナにより操作できる箇所であれば適宜の箇所に設けることができる。また、この実施の形態では、回り止め部１０ｂ，１０ｂは、図２に示すように平行な２面を形成したが、工具を側部から係合させることができるような適宜の形状を用いることができる。
【００１９】
【発明の効果】
以上説明したように、本発明によれば、主軸に設けた回り止め部に工具を係合させることにより、小さい力で強固に主軸を拘束して、羽根車の着脱を簡便かつ確実に行うことができ、メンテナンスや修理の作業性が良いポンプを提供することができる。
【図面の簡単な説明】
【図１】本発明の実施の形態を示す直動形２段ポンプの断面図である。
【図２】図１のＡ−Ａ線断面図である。
【図３】従来の一般的な直動形２段ポンプを示す断面図である。
【図４】図３の主軸のポンプ部側端面の側面図である。
【符号の説明】
１０  主軸
１０ｂ  回り止め部
１２  モータ部
１４  ポンプ部
１６  メカニカルシール
２０  モータケーシング
２０ａ  開口部
２８  ポンプケーシング
３２ａ，３２ｂ  羽根車
３４  羽根止めナット
【図１】
0003580683.tif 000002
【図２】
0003580683.tif 000003
【図３】
0003580683.tif 000004
【図４】
0003580683.tif 000005